(57)【要約】      （修正有）【課題】飛沫感染の可能性が低い状況における呼吸の容易化等を実現するマスクを提供する。【解決手段】マスク１は、マスク本体２、耳掛け部３、マスク本体２の下部に内装されたチンワイヤ４から構成される。マスク本体２は、布（綿布や絹布等）を２枚重ねにしたものであり、着用者の鼻や顎にフィットするように立体縫製されている。マスク本体２の左右端は折り返された状態で縫われ、耳掛け部３を保持する保持部５、６を構成している。また、マスク本体２の下部には、下方に向けて湾曲した略円弧状の袋部７が形成され、この袋部７にチンワイヤ４が収容されている。なお、マスク本体２の下端右方には、洗濯時にマスク本体２からチンワイヤ４を脱着することができるように、袋部７に連通するスリット８が設けられている。チンワイヤ４を変形させることでマスク本体２の下部を顎から浮かせることにより、呼吸を容易化する。【選択図】図２
0003230761.tif 000002
【実用新案登録請求の範囲】
【請求項１】
着用者の少なくとも鼻から顎にかけて覆うマスク本体と、当該マスク本体の左右端にそれぞれ設けられた耳掛け部と、当該マスク本体の下部に内装された変形可能な棒状のチンワイヤとを備えたマスクであって、
前記チンワイヤは、両端に緩衝手段を有し、前記マスク本体と顎との間に隙間が存在する状態で、当該緩衝手段が着用者の頬または顎に係止されることを特徴とするマスク。
【請求項２】
前記チンワイヤは、アルミニウム線を樹脂で被覆してなるチンワイヤ本体と、当該チンワイヤ本体の両端に外嵌する緩衝キャップとを備えることを特徴とする、請求項１記載のマスク。
【請求項３】
前記チンワイヤ本体に樹脂チューブが外装されることを特徴とする、請求項２記載のマスク。
【請求項４】
前記マスク本体に前記チンワイヤを収容する袋部が設けられるとともに、当該袋部に当該チンワイヤを脱着するためのスリットが形成されることを特徴とする、請求項１〜請求項３のいずれか一項に記載のマスク。
【考案の詳細な説明】
【技術分野】
【０００１】
本考案は、耳掛け式のマスクに係り、飛沫感染の可能性が低い状況における呼吸の容易化等を実現する技術に関する。
【背景技術】
【０００２】
耳掛け式のマスクは、着用者がくしゃみや咳をした際の飛沫の放出を防止する他、着用者の口腔内の病原体（ウイルスや細菌）の空気中への拡散や、着用者による空気中の異物（病原体や花粉等）の吸引を抑制するものである。マスクとしては、マスク本体に綿布や絹布を用いた布マスク（特許文献１参照）や、マスク本体に不織布を用いた不織布マスク（特許文献２，３参照）等が存在するが、洗うことで繰り返し使用できる布マスクが注目されている。
【０００３】
マスクと顔との間に隙間が存在した場合、この隙間から病原体の拡散や異物の吸引が生じる可能性がある。そこで、多くのマスクでは顔との密着度を高めるべく上端側にノーズワイヤが組み込まれている。ノーズワイヤは、アルミニウム等の金属やポリエチレン等の樹脂を素材としており、容易に曲げ変形させることができるとともに、曲げ変形した際の形状を保持する機能を有している。なお、一部のマスクでは、上端側のノーズワイヤに加え、顎との密着度を高めるべく下端側にチンワイヤが組み込まれている（特許文献３の図４参照）。
【先行技術文献】
【特許文献】
【０００４】
【特許文献１】実用新案登録第３２１５６０６号公報
【特許文献２】特開２００４−２３０１０５号公報
【特許文献３】特開２０２０−１３９２６２号公報
【考案の概要】
【考案が解決しようとする課題】
【０００５】
マスクの着用については、飛沫感染を効果的に防止できる一方、呼吸がしにくくなる、息で眼鏡が曇る、夏場等に顔に汗をかきやすくなる等の問題が指摘されている。そこで、飛沫感染が生じにくい状況において、マスクを外したり、顎にずらしたりする着用者が多い。しかしながら、マスクを外した場合には、衣類のポケット等にマスクを収容し、飛沫感染の可能性が高くなるたびに着用し直さなければならず、着用者にとって煩わしいことが否めない。また、マスクを顎にずらした場合には、顎から首元の病原体がマスク本体の裏側に付着し、正規の位置に戻した際にこれら病原体が鼻や口に運ばれる問題がある。さらに、マスクを外したり、顎にずらしたりすると、意図しないくしゃみや咳をした際に、飛沫を放出させることが避けられない問題がある。
【０００６】
本考案は、上記課題を解決すべくなされたものであり、飛沫感染の可能性が低い状況における呼吸の容易化等を実現したマスクを提供することを目的とする。
【課題を解決するための手段】
【０００７】
本考案のマスクは、着用者の少なくとも鼻から顎にかけて覆うマスク本体と、当該マスク本体の左右端にそれぞれ設けられた耳掛け部と、当該マスク本体の下部に内装された変形可能な棒状のチンワイヤとを備えたマスクであって、前記チンワイヤは、両端に緩衝手段を有し、前記マスク本体と顎との間に隙間が存在する状態で、当該緩衝手段が着用者の頬または顎に係止される。
【０００８】
好適には、前記チンワイヤは、アルミニウム線を樹脂で被覆してなるチンワイヤ本体と、当該チンワイヤ本体の両端に外嵌する緩衝キャップとを備える。
【０００９】
好適には、前記チンワイヤ本体に樹脂チューブが外装される。
【００１０】
好適には、前記マスク本体に前記チンワイヤを収容する袋部が設けられるとともに、当該袋部に当該チンワイヤを脱着するためのスリットが形成される。
【考案の効果】
【００１１】
本考案のマスクによれば、飛沫感染の可能性が低い時には、着用者がチンワイヤを変形させることでマスク本体と顎との間に隙間をつくることで、マスクを外すことなく上述した種々の問題が解消される。また、両端に緩衝手段が存在するため、チンワイヤが当接する頬や顎に痛みや違和感が生じにくくなる。
【００１２】
また、チンワイヤが、アルミニウム線を樹脂で被覆してなるチンワイヤ本体と、チンワイヤ本体の両端に外嵌する緩衝キャップとを備えるものでは、チンワイヤの曲げ耐久性を高くするとともに、マスクの生産性や製造コストも低減させることができる。
【００１３】
また、チンワイヤ本体に樹脂チューブが外装されるものでは、チンワイヤの曲げ耐久性を更に高くすることができる。
【００１４】
また、マスク本体にチンワイヤを収容する袋部が設けられ、袋部にチンワイヤを脱着するためのスリットが形成されるものでは、洗濯時等にスリットから容易にチンワイヤを取り外すことができる。
【図面の簡単な説明】
【００１５】
【図１】実施形態に係るマスクを装着した人物の頭部を示す側面図である。
【図２】実施形態に係るマスクの正面図である。
【図３】実施形態に係るチンワイヤの正面図である。
【図４】実施形態に係るマスクの通常着用時における側面図である。
【図５】実施形態に係るマスクのマスク本体を浮かせた状態の側面図である。
【図６】一部変形例に係るマスクの正面図である。
【図７】一部変形例に係るチンワイヤの正面図である。
【考案を実施するための形態】
【００１６】
以下、本考案の実施形態および一部変形例を、図１〜図７を用いて詳細に説明する。
［実施形態］
図１に示すように、マスク１は、着用者Ｈの頭部の前面下部（鼻Ｈ１、口Ｈ２、顎Ｈ３、頬Ｈ４）を覆うマスク本体２、マスク本体２を着用者Ｈの耳Ｈ５に掛けるための耳掛け部（耳掛け紐）３、マスク本体２の下部に内装されたチンワイヤ４から構成されている。
【００１７】
図２にも示すように、マスク本体２は、布（綿布や絹布等）を２枚重ねにしたものであり、着用者Ｈの鼻Ｈ１や顎Ｈ３にフィットするように立体縫製されている。マスク本体２の左右端は折り返された状態で縫われ、耳掛け部３を保持する保持部５，６を構成している。また、マスク本体２の下部には、下方に向けて湾曲した略円弧状の袋部７が形成され、この袋部７にチンワイヤ４が収容されている。なお、マスク本体２の下端右方（図２中の右側）には、洗濯時にマスク本体２からチンワイヤ４を脱着することができるように、袋部７に連通するスリット８が設けられている。なお、チンワイヤ４の耐久性を高く設定する場合には、スリット８を設けなくても良い。スリット８の位置は、図に示す位置が好ましいが、その他の位置とすることもできる。
【００１８】
図３に示すように、チンワイヤ４は、軟質アルミニウム線１１ａを樹脂シース１１ｂで被覆してなるチンワイヤ本体１１と、チンワイヤ本体１１の両端に外嵌する樹脂キャップ１２とからなっている。樹脂シース１１ｂおよび樹脂キャップ１２は、例えばビニールやＰＰ，ＰＥ等の軟質樹脂を素材としている。
【００１９】
図４に示すように、マスク１の着用者Ｈは、多数の人が密集するような場所において、チンワイヤ４を頬の輪郭に沿って曲げてマスク本体２の下端を顎Ｈ３に密着させる。これにより、着用者Ｈがくしゃみや咳をした際の飛沫の放出が防止されるとともに、呼吸がマスク本体２を通して行われることにより、着用者Ｈの口腔内の病原体の空気中への拡散や、着用者Ｈによる空気中の異物の吸引も効果的に抑制される。
【００２０】
一方、図５に示すように、マスク１の着用者Ｈは、他者との間隔を確保できるような場所において、チンワイヤ４を変形させる（すぼめる）ことでマスク本体２の下部を顎Ｈ３から浮かせる。これにより、着用者Ｈの呼吸の殆どがマスク本体２と顎Ｈ３との間から行われることになり、呼吸がしにくい、息で眼鏡が曇る、夏場等に顔に汗をかきやすくなる等の問題が解消される。なお、チンワイヤ４の端部は着用者Ｈの顎Ｈ３あるいは頬Ｈ４に当たるが、樹脂キャップ１２の存在によって着用者Ｈが痛みや違和感を覚えることはない。
［一部変形例］
図６に示すように、一部変形例の構成や作用も上述した実施形態とほぼ同様であるが、チンワイヤ４の構造が異なっていること、マスク本体２の上部にノーズワイヤ２１が組み込まれていること、マスク本体２の内側にフィルタ２２が設置されていることが相違する。
【００２１】
図７に示すように、一部変形例のチンワイヤ４では、チンワイヤ本体１１に樹脂チューブ１３が外装されている。樹脂チューブ１３は、例えばビニールやＰＰ，ＰＥ等の軟質樹脂を素材としており、チンワイヤ４の曲げ変形に不要な抵抗を与えず、耐久性を大幅に向上させる。
【００２２】
ノーズワイヤ２１は、アルミニウム等の金属やポリエチレン等の樹脂を素材としており、容易に曲げ変形させることができるとともに、曲げ変形した際の形状を保持する。これにより、マスク本体２と着用者Ｈの顔との密着度が向上し、病原体の拡散や異物の吸引を効果的に防止できる。
【００２３】
フィルタ２２は、マイクロファイバやナノファイバを素材としており、マスク本体２の内側に設けられた図示しないポケットに収容されている。これにより、ウイルスや細菌が効率的に捕捉され、飛沫感染がより効果的に防止できる。
【００２４】
＜実施形態の効果＞
上記実施形態や一部変形例では、上述した構成を採ったことにより、通常時の飛沫感染を効果的に防止しながら、飛沫感染の可能性が低い状況における快適性等を向上させることができる。
【００２５】
以上で具体的な実施形態の説明を終えるが、本考案の態様はこれに限られるものではない。例えば、上記実施形態ではマスク本体の素材として綿布や絹布を採用したが、化学繊維の布を採用してもよいし、マスク本体と耳掛けとが一体となったポリウレタン製マスクや、不織布製のマスク等に本考案を適用してもよい。また、チンワイヤの素材は、実施形態のアルミニウム線に代えて、ポリエチレン等の樹脂を採用してもよい。その他、マスクやチンワイヤの具体的形状等についても、本考案の主旨を逸脱しない範囲で適宜変更可能である。
【産業上の利用可能性】
【００２６】
本考案は、飛沫感染等の予防に供される耳掛け式のマスクに効果的に利用できる。
【符号の説明】
【００２７】
１      マスク
２      マスク本体
３      耳掛け部
４      チンワイヤ
７      袋部
８      スリット
１１    チンワイヤ本体
１１ａ  軟質アルミニウム線
１１ｂ  樹脂シース
１２    樹脂キャップ
１３    樹脂チューブ
Ｈ      着用者
Ｈ１    鼻
Ｈ２    口
Ｈ３    顎
Ｈ４    頬
Ｈ５    耳
【図１】
0003230761.tif 000003
【図２】
0003230761.tif 000004
【図３】
0003230761.tif 000005
【図４】
0003230761.tif 000006
【図５】
0003230761.tif 000007
【図６】
0003230761.tif 000008
【図７】
0003230761.tif 000009